(57)【要約】【課題】部品点数の削減と組立工数を削減してコストダウンを図ることができるとともに、画像書出しタイミング調整後の狂いを防ぐことができる画像書出しタイミング調整機構を提供すること。【解決手段】受光センサを実装したピンフォト基板６を動かすことによって画像書出しタイミングを調整する光走査装置の画像書出しタイミング調整機構において、前記ピンフォト基板６を基板保持部材１０で保持するとともに、該基板保持部材１０に、ピンフォト基板６を仮保持するための仮保持部１０ｂと固定するための固定部１０ａを各々独立に設ける。ここで、前記基板保持部材１０は、光学フレーム９の溝（取付部）９ａに対して半押しすることによって前記仮保持部１０ｂが前記ピンフォト基板６を仮保持し、完全に押し込むことによって前記固定部１０ａが前記ピンフォト基板６を固定する。【選択図】図２
2008298908.tif 000002
【特許請求の範囲】
【請求項１】
受光センサを実装したピンフォト基板を動かすことによって画像書出しタイミングを調整する光走査装置の画像書出しタイミング調整機構において、
前記ピンフォト基板を基板保持部材で保持するとともに、該基板保持部材に、ピンフォト基板を仮保持するための仮保持部と固定するための固定部を各々独立に設けたことを特徴とする画像書出しタイミング調整機構。
【請求項２】
前記基板保持部材は、光学フレームの取付部に対して半押しすることによって前記仮保持部が前記ピンフォト基板を仮保持し、完全に押し込むことによって前記固定部が前記ピンフォト基板を固定することを特徴とする請求項１記載の画像書出しタイミング調整機構。
【請求項３】
前記基板保持部材を板金で構成したことを特徴とする請求項１又は２記載の画像書出しタイミング調整機構。
【請求項４】
前記基板保持部材の仮保持部によって前記ピンフォト基板を仮保持した状態で画像書出しタイミングを調整することを特徴とする請求項１〜３の何れかに記載の画像書出しタイミング調整機構。
【請求項５】
請求項１〜４の何れかに記載の画像書出しタイミング調整機構を備えたことを特徴とする光走査装置。
【発明の詳細な説明】
【技術分野】
【０００１】
本発明は、受光センサを実装したピンフォト基板を動かすことによって画像書出しタイミングを調整する画像書出し調整機構とこれを備えた光走査装置に関するものである。
【背景技術】
【０００２】
電子写真方式を採用する複写機やプリンタ等の画像形成装置においては、レーザスキャナユニット（ＬＳＵ）等の光学装置から出射されたレーザビーム等が感光ドラム等の像担持体上に照射されることによって該像担持体上に静電潜像が形成される。そして、この静電潜像は、現像装置によってトナーを用いて現像されてトナー像として顕像化され、トナー像は、転写装置によって用紙等の記録材上に転写される。その後、トナー像が転写された記録材は、定着装置に搬送され、該定着装置において加熱及び加圧されてトナー像が記録材上に永久像として定着される。
【０００３】
ここで、光学装置としてのレーザスキャナユニットの概略構成を図１０に示す。
【０００４】
図１０はレーザスキャナユニットの内部構造を示す斜視図であり、矩形ボックス状の筐体１内には、偏向走査手段としてのポリゴンミラー２、走査レンズ３、折り返しミラー４等の光学部品が収容されており、光源であるレーザダイオード５から出射されたレーザビームは、不図示のシリンドリカルレンズによって線状の光束に集光された後、回転するポリゴンミラーによって所定の走査方向に偏向走査される。そして、ポリゴンミラー２によって偏向走査されたレーザビームは、走査レンズ３と折り返しミラー４を経て不図示の像担持体上に結像され、結像された光束は、ポリゴンミラー２の回転によって像担持体上を主走査方向に走査し、像担持体の回転によって副走査方向に走査して像担持体上に静電潜像を形成する。
【０００５】
又、同時にポリゴンミラー２からの走査光は、ピンフォト基板６に実装された受光センサに導入され、受光センサによって走査開始信号に変換される。そして、走査開始信号はレーザダイオード５に送信され、レーザダイオード５は、走査開始信号を受信すると画像書出し変調を開始する。
【０００６】
ところで、斯かる光走査装置において、画像書出しタイミングはピンフォト基板６を動かすことによって調整されるが、その調整方法には例えば図１１（ａ），（ｂ）に示す方法と図１２に示す方法があった。尚、図１１（ａ），（ｂ）及び図１２は従来の画像書出しタイミングの調整方法を示す光走査装置のピンフォト基板部分の斜視図である。
【０００７】
図１１（ａ），（ｂ）に示す方法は、ピンフォト基板６を保持するホルダー部材７に長孔７ａを形成し、この長孔７ａに挿通するビス８によってホルダー部材７とピンフォト基板６を固定する構造において、画像書出しタイミングを調整するときには、ビス８を緩めてホルダー部材７の長孔７ａの長さの範囲で図示矢印方向に移動させて画像書出しタイミングを調整し、調整後にビス８を締め付けてホルダー部材７を固定する方法である。
【０００８】
又、図１２に示す方法は、ピンフォト基板６を光学フレーム９の溝９ａに直接嵌め込み、該ピンフォト基板６を溝９ａ内で直接移動させて画像書出しタイミングを調整し、調整後はピンフォト基板６を接着剤によって光学フレーム９に固定する方法である。尚、この方法において使用される接着剤には、接着強度や作業時間の面からＵＶ接着剤が使用されることが多い。
【０００９】
ところで、特許文献１には、光走査装置において、ピンフォト基板の取り付けや取り外しを容易に行うことができる構成が提案されている。
【特許文献１】特開２０００−０４７１２５号公報
【発明の開示】
【発明が解決しようとする課題】
【００１０】
しかしながら、図１１（ａ），（ｂ）に示す方法によれば、ピンフォト基板６を固定するためにホルダー部材７とビス８が必要となり、部品点数が増えるという問題がある。又、ピンフォト基板アッシー（ピンフォト基板６とホルダー部材７の組）をビス８によって固定するまでの間、ピンフォト基板アッシーを保持することができないため、該ピンフォト基板アッシーを手で押さえておく必要があり、作業性が甚だ悪いという問題もある。更に、画像書出しタイミングを調整した後、ビス８を締め付けてピンフォト基板６を固定するため、ビス８を締め付ける際の衝撃で調整値がずれてしまい、再調整が必要となるために作業時間が長くなってしまうという問題もあった。
【００１１】
又、図１２に示す方法によれば、接着剤は粘性を有しているため、ディスペンサーで接着剤を塗布する際に接着剤の糸引き現象が発生する。この糸引き現象によって接着剤が飛散して他の光学部品に付着すると、その光学部品が使用不能となるため、光走査装置自体が不良品となり、部品コストの増加やタクトタイムの延長等の問題が発生する。又、接着剤にＵＶ接着剤を使用すると多くの工数を要し、作業時間が長くなって組立コストが高くなるという問題が発生する。
【００１２】
本発明は上記問題に鑑みてなされたもので、その目的とする処は、部品点数の削減と組立工数を削減してコストダウンを図ることができるとともに、画像書出しタイミング調整後の狂いを防ぐことができる画像書出しタイミング調整及びこれを備えた光走査装置を提供することにある。
【課題を解決するための手段】
【００１３】
上記目的を達成するため、請求項１記載の発明は、受光センサを実装したピンフォト基板を動かすことによって画像書出しタイミングを調整する光走査装置の画像書出しタイミングを調整機構において、前記ピンフォト基板を基板保持部材で保持するとともに、該基板保持部材に、ピンフォト基板を仮保持するための仮保持部と固定するための固定部を各々独立に設けたことを特徴とする。
【００１４】
請求項２記載の発明は、請求項１記載の発明において、前記基板保持部材は、光学フレームの取付部に対して半押しすることによって前記仮保持部が前記ピンフォト基板を仮保持し、完全に押し込むことによって前記固定部が前記ピンフォト基板を固定することを特徴とする。
【００１５】
請求項３記載の発明は、請求項１又は２記載の発明において、前記基板保持部材を板金で構成したことを特徴とする。
【００１６】
請求項４記載の発明は、請求項１〜３の何れかに記載の発明において、前記基板保持部材の仮保持部によって前記ピンフォト基板を仮保持した状態で画像書出しタイミングを調整することを特徴とする。
【００１７】
請求項５記載の発明は、光走査装置に請求項１〜４の何れかに記載の画像書出しタイミング調整機構を備えたことを特徴とする。
【発明の効果】
【００１８】
請求項１記載の発明によれば、基板保持部材の１部品でピンフォト基板を光学フレームの取付部に対して仮保持及び固定することができるため、部品点数を削減してコストダウンを図ることができる。
【００１９】
請求項２記載の発明によれば、ピンフォト基板のビスによる固定を廃し、基板保持部材を完全に押し込むことによってピンフォト基板を基板保持部材の固定部によって光学フレームに固定するようにしたため、ピンフォト基板を固定した後に画像書出しタイミングの調整値に狂いが発生することがない。又、ピンフォト基板の固定に接着剤を使用しないため、ライン不良の発生を防ぐとともに、組立工数の削減と作業時間の短縮によって組立コストを低く抑えることができる。
【００２０】
請求項３記載の発明によれば、仮保持部と固定部を各々独立に備えた基板保持部材を板金の成形によって生産性良く容易に製作することができる。
【００２１】
請求項４記載の発明によれば、基板保持部材の仮保持部によってピンフォト基板を仮保持した状態で画像書出しタイミングを容易且つ高精度に調整することができる。
【００２２】
請求項５記載の発明によれば、光走査装置の部品点数の削減と組立工数を削減してコストダウンを図りつつ、画像書出しタイミングを容易且つ高精度に調整して高質画像を安定的に得ることができる。
【発明を実施するための最良の形態】
【００２３】
以下に本発明の実施形態を添付図面を基づいて説明する。
【００２４】
図１（ａ）〜（ｃ）は本発明に係る画像書出しタイミング調整機構を構成する基板保持部材とこれに保持されたピンフォト基板の斜視図、図２（ａ），（ｂ）はピンフォト基板を仮保持した状態を示す斜視図、図３は同正面図、図４は図３のＡ−Ａ線断面図、図５は図３のＢ−Ｂ線断面図、図６（ａ），（ｂ）はピンフォト基板を固定した状態を示す斜視図、図７は同正面図、図８は図７のＣ−Ｃ線断面図、図９は図７のＤ−Ｄ線断面図である。
【００２５】
本発明に係る光走査装置の基本構成は図１０に示した従来の光走査装置（レーザスキャナユニット）のそれと同じであって、画像書出しタイミング調整機構のみが異なっている。従って、以下、画像書出しタイミング調整機構についてのみ説明する。
【００２６】
本発明に係る画像書出しタイミング調整機構には図１（ａ），（ｂ）に示す板金製の基板保持部材１０が使用される。
【００２７】
上記基板保持部材１０は、受光センサを実装したピンフォト基板６を保持するための部品であって、その下端の幅方向両端には、上方に向かって開くようにＶ字状に折り曲げられた係止爪状の一対の固定部１０ａが形成され、これらの固定部１０ａの間には、くの字状に屈曲されたバネ状の仮保持部１０ｂが形成されており、これらの固定部１０ａと仮保持部１０ｂとは各々独立に設けられている。又、基板保持部材１０の一側部には、ピンフォト基板６の一側面に当接して該ピンフォト基板６を位置決めする平坦な位置決め部１０ｃが形成され、他側部には、ピンフォト基板６の他側面を押圧するバネ状の押さえ部１０ｄが形成されている。
【００２８】
次に、上記基板保持部材１０を用いた画像書出しタイミングの調整方法と調整後のピンフォト基板６の固定構造を図２〜図９に基づいて説明する。
【００２９】
画像書出しタイミングはピンフォト基板６を動かすことによってなされるが、この画像書出しタイミングは、図２〜図５に示すように、基板保持部材１０によってピンフォト基板６を光学フレーム９に対して仮保持した状態で調整される。
【００３０】
即ち、ピンフォト基板６とこれを保持した基板保持部材１０を、基板保持部材１０の固定部１０ａと仮保持部１０ｂを下にして光学フレーム９の取付部である溝９ａに上方から差し込み、これらを光学フレーム９の溝９ａに対して半押しする。すると、図５に示すように、基板保持部材１０の仮保持部１０ｂが光学フレーム９の溝９ａに係合してピンフォト基板６を仮保持する。この仮保持状態では、図４に示すように、基板保持部材１０の固定部１０ａは光学フレーム９の溝９ａに係止されていないため、ピンフォト基板６は図３の左右方向（図４及び図５の紙面垂直方向）に自由に動くことができ、このピンフォト基板６を同方向に動かすことによって画像書出しタイミングを容易且つ高精度に調整することができる。
【００３１】
以上のようにピンフォト基板６を仮保持した状態でこれを動かして画像書出しタイミングを調整した後は、図６〜図９に示すようにピンフォト基板６を光学フレーム９に固定する。
【００３２】
即ち、図２〜図５に示すように仮保持状態にあるピンフォト部材６を光学フレーム９の溝９ａに完全に押し込むと、図８に示すように、基板保持部材１０の一対の固定部１０ａが光学フレーム９の溝９ａに完全に嵌り込んで係止されるため、ピンフォト基板６は光学フレーム９に確実に固定され、画像書出しタイミングの調整が完了する。
【００３３】
而して、本発明に係る画像書出しタイミング調整機構によれば、基板保持部材１０の１部品でピンフォト基板６を光学フレーム９に対して仮保持及び固定することができるため、部品点数を削減してコストダウンを図ることができる。本実施の形態では、基板保持部材１０を板金製としたため、固定部１０ａと仮保持部１０ｂを各々独立に備えた基板保持部材１０を板金の成形によって生産性良く容易に製作することができる。
【００３４】
又、基板保持部材１０の仮保持部１０ｂによってピンフォト基板６を仮保持した状態で画像書出しタイミングを容易且つ高精度に調整することができる。
【００３５】
更に、ピンフォト基板６のビス８による固定（図１１（ｂ）参照）を廃し、基板保持部材１０を完全に押し込むことによってピンフォト基板６を基板保持部材１０の固定部１０ａによって光学フレーム９に固定するようにしたため、ピンフォト基板６を固定した後に画像書出しタイミングの調整値に狂いが発生することがない。そして、ピンフォト基板６の固定に接着剤を使用しないため、ライン不良の発生を防ぐとともに、組立工数の削減と作業時間の短縮によって組立コストを低く抑えることができる。
【００３６】
そして、本発明に係る画像書出しタイミング調整機構を備えた光走査装置によれば、部品点数の削減と組立工数を削減してコストダウンを図りつつ、画像書出しタイミングを容易且つ高精度に調整して高質画像を安定的に得ることができる。
【図面の簡単な説明】
【００３７】
【図１】（ａ）〜（ｃ）は本発明に係る画像書出しタイミング調整機構を構成する基板保持部材とこれに保持されたピンフォト基板の斜視図である。
【図２】（ａ），（ｂ）はピンフォト基板を仮保持した状態を示す斜視図である。
【図３】ピンフォト基板を仮保持した状態を示す正面図である。
【図４】図３のＡ−Ａ線断面図である。
【図５】図３のＢ−Ｂ線断面図である。
【図６】（ａ），（ｂ）はピンフォト基板を固定した状態を示す斜視図である。
【図７】ピンフォト基板を固定した状態を示す正面図である。
【図８】図７のＣ−Ｃ線断面図である。
【図９】図７のＤ−Ｄ線断面図である。
【図１０】従来の光走査装置（レーザビームスキャナ）の内部構造を示す斜視図である。
【図１１】（ａ），（ｂ）は従来の画像書出しタイミングの調整方法を示す光走査装置のピンフォト基板部分の斜視図である。
【図１２】従来の画像書出しタイミングの調整方法を示す光走査装置のピンフォト基板部分の斜視図である。
【符号の説明】
【００３８】
１        筐体
２        ポリゴンミラー
３        走査レンズ
４        折り返しミラー
５        レーザダイオード
６        ピンフォト基板
７        ホルダー部材
７ａ      ホルダー部材の長孔
８        ビス
９        光学フレーム
９ａ      光学フレームの溝（取付部）
１０      基板保持部材
１０ａ    基板保持部材の固定部
１０ｂ    基板保持部材の仮保持部
１０ｃ    基板保持部材の位置決め部
１０ｄ    基板保持部材の押さえ部
【図１】
2008298908.tif 000003
【図２】
2008298908.tif 000004
【図３】
2008298908.tif 000005
【図４】
2008298908.tif 000006
【図５】
2008298908.tif 000007
【図６】
2008298908.tif 000008
【図７】
2008298908.tif 000009
【図８】
2008298908.tif 000010
【図９】
2008298908.tif 000011
【図１０】
2008298908.tif 000012
【図１１】
2008298908.tif 000013
【図１２】
2008298908.tif 000014